【手続補正書】
【提出日】平成18年3月14日(2006.3.14)
【手続補正１】
【補正対象書類名】明細書
【補正対象項目名】発明の名称
【補正方法】変更
【補正の内容】
【発明の名称】物品管理装置、方法、コンピュータプログラム、及びコンピュータ読み取り可能な記憶媒体
【手続補正２】
【補正対象書類名】明細書
【補正対象項目名】特許請求の範囲
【補正方法】変更
【補正の内容】
【特許請求の範囲】
【請求項１】  物品に装着された、所定の情報を無線情報として送信可能な無線情報送信手段から取得された無線情報、及び上記物品を撮影して得られた画像情報を対にして記憶する記憶手段を用いた物品管理装置であって、
物品に装着された無線情報送信手段から無線情報を取得する情報取得手段と、
上記情報取得手段により取得される無線情報と、上記記憶手段に記憶されている無線情報とを比較する比較手段と、
上記比較手段で一致した無線情報がある場合、上記記憶手段からその無線情報と対にされている画像情報を読み出して画像を表示する表示手段とを備えたことを特徴とする物品管理装置。
【請求項２】  上記情報取得手段は、複数の無線情報送信手段から無線情報を取得可能であることを特徴とする請求項１に記載の物品管理装置。
【請求項３】  上記表示手段は、上記比較手段で一致した無線情報が複数ある場合、各無線情報と対にされている画像情報による画像を分割表示することを特徴とする請求項１又は２に記載の物品管理装置。
【請求項４】  上記表示手段は、上記比較手段で一致した無線情報が複数ある場合、各無線情報と対にされている画像情報による画像を順次表示することを特徴とする請求項１又は２に記載の物品管理装置。
【請求項５】  上記比較手段で一致した無線情報がない場合に通知を行う通知手段を備えたことを特徴とする請求項１〜４のいずれか１項に記載の物品管理装置。
【請求項６】  物品を撮影する際に、その物品に装着された無線情報送信手段から無線情報を取得して、その無線情報と撮影した画像情報とを対にして記憶する撮影装置が一体化されていることを特徴とする請求項１〜５のいずれか１項に記載の物品管理装置。
【請求項７】  物品を撮影する際に、その物品に装着された無線情報送信手段から無線情報を取得するとき、一定条件の下で唯一の無線情報送信手段からの無線情報のみを取得することを特徴とする請求項６に記載の物品管理装置。
【請求項８】  携帯可能な機器により構成されることを特徴とする請求項１〜７のいずれか１項に記載の物品管理装置。
【請求項９】  上記記憶手段には、上記対にされた無線情報及び画像情報それぞれに説明文が付加されており、
上記表示手段は、画像とともに、その画像に付加された説明文を表示することを特徴とする請求項１に記載の物品管理装置。
【請求項１０】  上記物品を撮影して得られた画像は該物品の一部を撮影したマクロ撮影によるものであり、
上記説明文として撮影部位に関する説明が記載されていることを特徴とする請求項９に記載の物品管理装置。
【請求項１１】  物品に装着された、所定の情報を無線情報として送信可能な無線情報送信手段から取得された無線情報、及び上記物品を撮影して得られた画像情報を対にして記憶する記憶手段と、物品に装着された無線情報送信手段から無線情報を取得する情報取得手段と、上記情報取得手段により取得される無線情報と、上記記憶手段に記憶されている無線情報とを比較する比較手段と、上記比較手段で一致した無線情報がある場合、上記記憶手段からその無線情報と対にされている画像情報を読み出して画像を表示する表示手段とを用いて、上記表示手段に表示された画像に基づいて物品を管理することを特徴とする物品管理方法。
【請求項１２】  上記情報取得手段を用いて、中身の見えない入れ物に入った物品に装着された無線情報送信手段から無線情報を取得することを特徴とする請求項１１に記載の物品管理方法。
【請求項１３】  上記表示手段には、上記比較手段で一致した無線情報が複数ある場合、各無線情報と対にされている画像情報による画像を分割表示させることを特徴とする請求項１１又は１２に記載の物品管理方法。
【請求項１４】  上記表示手段には、上記比較手段で一致した無線情報が複数ある場合、各無線情報と対にされている画像情報による画像を順次表示させることを特徴とする請求項１１又は１２に記載の物品管理方法。
【請求項１５】  上記比較手段で一致した無線情報がない場合に通知を行う通知手段を用いることを特徴とする請求項１１〜１４のいずれか１項に記載の物品管理方法。
【請求項１６】  上記記憶手段に対にして記憶された無線情報及び画像情報は、物品を撮影する際に、その物品に装着された無線情報送信手段から無線情報を取得して、その無線情報と撮影した画像情報とを対にして記憶する撮影装置を用いて取得したものであることを特徴とする請求項１１〜１５のいずれか１項に記載の物品管理方法。
【請求項１７】  物品を撮影する際に、その物品に装着された無線情報送信手段から無線情報を取得するとき、一定条件の下で唯一の無線情報送信手段からの無線情報のみを取得することを特徴とする請求項１６に記載の物品管理方法。
【請求項１８】  上記すべての手段を備えた携帯可能な機器を用いることを特徴とする請求項１１〜１７のいずれか１項に記載の物品管理方法。
【請求項１９】  物品に装着された、所定の情報を無線情報として送信可能な無線情報送信手段から取得された無線情報、及び上記物品を撮影して得られた画像情報を対にして記憶する記憶手段を用いた物品管理をコンピュータに実行させるためのコンピュータプログラムであって、
物品に装着された無線情報送信手段から無線情報を取得する処理と、
上記情報取得処理により取得される無線情報と、上記記憶手段に記憶されている無線情報とを比較する処理と、
上記比較処理で一致した無線情報がある場合、上記記憶手段からその無線情報と対にされている画像情報を読み出して画像を表示する処理とを実行させることを特徴とするコンピュータプログラム。
【請求項２０】  請求項１９に記載のコンピュータプログラムを格納したことを特徴とするコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、無線タグから取得されるタグＩＤと撮影により得られる画像情報を利用した物品管理装置、方法、コンピュータプログラム、及びコンピュータ読み取り可能な記憶媒体に関する。
【手続補正４】
【補正対象書類名】明細書
【補正対象項目名】０００６
【補正方法】変更
【補正の内容】
【０００６】
【課題を解決するための手段】
本発明の物品管理装置は、物品に装着された、所定の情報を無線情報として送信可能な無線情報送信手段から取得された無線情報、及び上記物品を撮影して得られた画像情報を対にして記憶する記憶手段を用いた物品管理装置であって、物品に装着された無線情報送信手段から無線情報を取得する情報取得手段と、上記情報取得手段により取得される無線情報と、上記記憶手段に記憶されている無線情報とを比較する比較手段と、上記比較手段で一致した無線情報がある場合、上記記憶手段からその無線情報と対にされている画像情報を読み出して画像を表示する表示手段とを備えた点に特徴を有する。
本発明の物品管理方法は、物品に装着された、所定の情報を無線情報として送信可能な無線情報送信手段から取得された無線情報、及び上記物品を撮影して得られた画像情報を対にして記憶する記憶手段と、物品に装着された無線情報送信手段から無線情報を取得する情報取得手段と、上記情報取得手段により取得される無線情報と、上記記憶手段に記憶されている無線情報とを比較する比較手段と、上記比較手段で一致した無線情報がある場合、上記記憶手段からその無線情報と対にされている画像情報を読み出して画像を表示する表示手段とを用いて、上記表示手段に表示された画像に基づいて物品を管理する点に特徴を有する。
本発明のコンピュータプログラムは、物品に装着された、所定の情報を無線情報として送信可能な無線情報送信手段から取得された無線情報、及び上記物品を撮影して得られた画像情報を対にして記憶する記憶手段を用いた物品管理をコンピュータに実行させるためのコンピュータプログラムであって、物品に装着された無線情報送信手段から無線情報を取得する処理と、上記情報取得処理により取得される無線情報と、上記記憶手段に記憶されている無線情報とを比較する処理と、上記比較処理で一致した無線情報がある場合、上記記憶手段からその無線情報と対にされている画像情報を読み出して画像を表示する処理とを実行させる点に特徴を有する。
本発明のコンピュータ読み取り可能な記憶媒体は、本発明のコンピュータプログラムを格納した点に特徴を有する。